(57)【要約】[課題]例えば、外科用手術（または処置）あるいは歯科用手術（または処置）などで用いられる３成分混合接着剤を混合するにあたり、これら３種の薬剤を誰でも容易に、かつ均一に混合することができる３成分混合装置および３成分混合接着剤キットを提供する。[解決手段]第１の薬剤が予め収容されたシリンジと、プランジャーと、第２薬剤容器の接続部と、第３薬剤容器の接続部とが形成される一方、基端部に合流通路が形成された移注針コネクタと、を備え、シリンジの吐出口に、移注針コネクタを着脱自在に取り付けるとともに、第２薬剤容器の接続部に第２薬剤容器を取付し、さらに第３薬剤容器の接続部に第３薬剤容器を取付し、シリンジ内に予め挿入されているプランジャーを引っ張ることにより、第２の薬剤と第３の薬剤とを前記シリンジ内に導き入れ、これにより前記シリンジにおいて第１の薬剤と第２の薬剤と第３の薬剤とを混合する。
2013179832.tif 000002
【特許請求の範囲】
【請求項１】
先端部に吐出口が形成されるとともに、第１の薬剤が予め収容されたシリンジと、
前記シリンジ内に挿入され、シール部材が装着されたプランジャーと、
第２の薬剤が収容された第２薬剤容器の接続部と、第３の薬剤が収容された第３薬剤容器の接続部とが、先端部に形成される一方、基端部に合流通路が形成された移注針コネクタと、を備え、
前記第２薬剤容器の接続部に前記第２薬剤容器を取付し、前記第３薬剤容器の接続部に前記第３薬剤容器を取付し、さらに前記シリンジの前記吐出口を、前記移注針コネクタの基端部の合流通路に着脱自在に取付し、
前記プランジャーを前記シリンジに対して引っ張ることにより、前記移注針コネクタを介して前記第２薬剤容器内の第２の薬剤と、前記第３薬剤容器内の第３の薬剤とを、前記シリンジ内に導き入れ、これにより前記シリンジにおいて前記第１の薬剤と前記第２の薬剤と前記第３の薬剤とを混合するように構成されていることを特徴とする３成分混合装置。
【請求項２】
前記シリンジの内周面に、潤滑剤が塗布されていることを特徴とする請求項１に記載の３成分混合装置。
【請求項３】
前記シール部材に、潤滑剤が塗布されていることを特徴とする請求項１に記載の３成分混合装置。
【請求項４】
前記潤滑剤がシリコンオイルであることを特徴とする請求項２または３に記載の３成分混合装置。
【請求項５】
前記移注針コネクタに設けられた前記第２薬剤容器の接続部と、前記第３薬剤容器の接続部とに、それぞれ針部材が具備されていることを特徴とする請求項１〜４のいずれかに記載の３成分混合装置。
【請求項６】
前記第１の薬剤が粉体、前記第２の薬剤が液体、前記第３の薬剤が液体であることを特徴とする請求項１〜５のいずれかに記載の３成分混合装置。
【請求項７】
請求項１〜６に記載の３成分混合装置を分解した状態で箱体内に備えたことを特徴とする３成分混合接着剤キット。
【発明の詳細な説明】
【技術分野】
【０００１】
本発明は、例えば、外科用手術（または処置）あるいは歯科用手術（または処置）などに用いられる３成分混合接着剤の混合容器として好適な３成分混合装置および３成分混合接着剤キットに関する。
【背景技術】
【０００２】
例えば、外科用手術では、縫合糸による縫合が一般に行われている。この縫合糸による縫合では、人の手による長時間の施術が行われるため、感染のリスクを完全にはぬぐい去ることができない。しかも、術後に鮮明な痕跡が広い範囲に残ってしまうことから、近年になって、外科用手術に接着剤が兼用であるいは単独で用いられる場合がある。このように傷口の閉鎖に接着剤を用いれば、施術時の感染のリスクが減少するのは勿論のこと、術後の審美性を一段と向上させることができる。【０００３】
外科用手術に用いられる接着剤としては、２種以上の成分が混合して使用される場合が多い。従来このような接着剤を用いる場合、これら薬剤は予め別々の容器内に充填される。そして、使用時に第１成分容器と第２成分容器のキャップを外し、どちらかの容器に他方の薬剤を移し換えて用いたり、さらに第３の薬剤を用いる場合は、二種の薬剤が混合された容器内に、第３の薬剤を続けて加えることが一般に行われている。しかしながら、混合薬剤が３成分であり、使用時にこれら３成分を適量に、しかも均一に混合する作業は煩雑で改善が求められている。【０００４】
ところで、２成分混合接着剤の混合としては、特許文献１のように、予め２成分を１つのシリンジ内に分離して充填しておき、使用時にシリンジに対してプランジャーを押圧することにより、シリンジ内に分離されている２成分を混合する装置が普及されている。【０００５】
また、特許文献２には、２つの薬剤容器を並設して取り付けることが可能な移注針コネクタ（容器ユニット）を用いて、薬剤を混合するシステムが開示されている。【０００６】
この混合システムでは、２つの薬剤容器を取り付けることが可能な移注針コネクタ（容器ユニット）を用いているものの、液体の流れは直列的な流れであるため、全ての液体を移送するには時間を要する。
【先行技術文献】
【特許文献】
【０００７】
【特許文献１】特開平７−１３６２６４号公報
【特許文献２】特表２００９−５３４１４４号公報
【発明の概要】
【発明が解決しようとする課題】
【０００８】
本発明は、このような従来の実情に鑑み、例えば、外科用手術（または処置）あるいは歯科用手術（または処置）などで用いられる３成分混合接着剤を混合するにあたり、これら３種の薬剤を誰でも容易に、かつ均一にしかも短時間で混合することができる３成分混合装置および３成分混合接着剤キットを提供することを目的としている。
【課題を解決するための手段】
【０００９】
上記目的を達成するための本発明に係る３成分混合装置は、
先端部に吐出口が形成されるとともに、第１の薬剤が予め収容されたシリンジと、
前記シリンジ内に挿入され、シール部材が装着されたプランジャーと、
第２の薬剤が収容された第２薬剤容器の接続部と、第３の薬剤が収容された第３薬剤容器の接続部とが、先端部に形成される一方、基端部に合流通路が形成された移注針コネクタと、を備え、
前記第２薬剤容器の接続部に前記第２薬剤容器を取付し、前記第３薬剤容器の接続部に前記第３薬剤容器を取付し、さらに前記シリンジの前記吐出口を、前記移注針コネクタの基端部の合流通路に着脱自在に取付し、
前記プランジャーを前記シリンジに対して引っ張ることにより、前記移注針コネクタを介して前記第２薬剤容器内の第２の薬剤と、前記第３薬剤容器内の第３の薬剤とを、前記シリンジ内に導き入れ、これにより前記シリンジにおいて前記第１の薬剤と前記第２の薬剤と前記第３の薬剤とを混合するように構成されていることを特徴としている。【００１０】
このような構成であれば、プランジャーを一回、引っ張ることにより３つの薬剤を混合することができるので、混合作業が容易であるとともに短時間で混合を行うことができる。【００１１】
本発明では、前記シリンジの内周面に、潤滑剤が塗布されていることが好ましい。【００１２】
また、本発明では、前記シール部材に、潤滑剤が塗布されていることが好ましい。【００１３】
ここで潤滑剤とは、シリンジの内周面またはシール部材の周囲に塗布され、シリンジシール部材の摺動性を良くするものをいう。【００１４】
潤滑剤としては、例えば以下を例示することができる。【００１５】
アルモンド油、エステル化トウモロコシ油、エポキシ化ダイズ油、煙霧灯油、オリブ油、オレイン酸、カカオ脂、カカオ末、牛脂、牛脂硬化油、ゴマ油、コムギ胚芽油、サフラワー油、サフラワー油脂肪酸、シソ油、シトロネラー油、蛇油、精製コメ油、ダイズ硬化油、ダイズ油、大豆油不けん化物、大豆レシチン、チンク油、ツバキ油、トウモロコシ油、１号灯油、灯油、豚脂、ナタネ油、ヒマシ油、ヒマワリ油、プロセス油、マシン油、ミンク油、綿実油、綿実油・ダイズ油混合物、ヤシ油、ラッカセイ油、卵黄油、ローズ油、アクリル酸２−エチルヘキシル・メタクリル酸２−エチルヘキシル・メタクリル酸ドデシル共重合体溶液、アクリル酸メチル・アクリル酸−２−エチルヘキシル共重合樹脂エマルジョン、アクリル樹脂アルカノールアミン液、アジピン酸ジイソブチル、アジピン酸ジイソプロピル、アルキルアリルスルホン酸カルシウム・ポリオキシエチレンラウリルエーテル混合物、アルキルアリルポリエーテルアルコール、アルキルナフタレンスルホン酸ナトリウム液、アルキルベンゼンスルホン酸塩・アルキルナフタレンスルホン酸塩混合乳化剤、アルキルベンゼンスルホン酸塩・アルキルナフタレンスルホン酸塩・ポリオキシエチレンアルキルフェニルエーテル混合乳化剤、アルキルベンゼンスルホン酸塩型乳化剤、アルキルベンゼンスルホン酸塩パウダー、アルキルベンゼンスルホン酸塩・ポリオキシエチレンアルキルエーテル混合乳化剤、アルキルベンゼンスルホン酸塩・ポリオキシエチレンアルキルエーテル・脂肪酸ポリオキシエチレンソルビタン混合乳化剤、アルキルベンゼンスルホン酸塩・ポリオキシエチレンアルキルエーテル・ポリオキシエチレンアルキルフェニルエーテル混合乳化剤、アルキルベンゼンスルホン酸塩・ポリオキシエチレンアルキルフェニルエーテル混合乳化剤、アルキルベンゼンスルホン酸塩・ポリオキシエチレン多環フェニルエーテル混合乳化剤、アルキルベンゼンスルホン酸塩・ポリオキシエチレンアルキルフェニルエーテル・ポリオキシエチレンアルキルアリルエーテル混合乳化剤、アルキルベンゼンスルホン酸塩・ポリオキシエチレンヒマシ油混合乳化剤、アルファチオグリセリン、４，４’−イソプロピリデンジフェノール・１−クロロ−２，３−エポキシプロパン重合物フタル酸ジブチル液、イソボルニルチオシアノアセテート、液状ラノリン、エチレングリコール、エチレングリコールエチルエーテル、エチレングリコールモノブチルエーテル、エチレングリコールモノメチルエーテル、エポキシヘキサヒドロフタル酸ジエステル、オクチルフェノキシエトキシエチルエーテルスルホン酸ナトリウム、グァーガム、グリセリン、グリセリン脂肪酸エステル、グルコン酸、硬化油、合成スクワラン、高ブドウ糖水アメ、Ｎ−ココイル−Ｌ−アルギニンエチルエステルＤＬ−ピロリドンカルボン酸塩、Ｎ−ココイル−Ｎ−メチルアミノエチルスルホン酸ナトリウム、コロジオン、酸性リン酸イソプロピルエステル、ジエタノールアミン、ジプロピレングリコール、ショ糖脂肪酸エステル、シリコンオイル、シリコーン樹脂エマルジョン、シリコン消泡剤、水素添加植物油、水素添加大豆リン脂質、スクワラン、スクワレン、精製ダイズ油、精製ハチミツ、セバシン酸ジイソプロピル、ソルビタン脂肪酸エステル、低置換度ヒドロキシプロピルセルロース、トコフェロール、ｄ−δ−トコフェロール、トリアセチン、トリイソオクタン酸グリセリン、トリエタノールアミン、トリエタノールアミンリン酸エステルナトリウム液、トリエチレングリコール、トリオレイン酸ソルビタン、トリオレイン酸ポリオキシエチレンソルビタン（２０Ｅ．Ｏ．）、トリ（カプリル・カプリン酸）グリセリド・トリステアリン酸グリセリド混合物、トリ（カプリル・カプリン酸）グリセリン、トリス（ノニルフェニル）ホスファイト、濃塩化ベンザルコニウム液５０、濃グリセリン、ハチミツ、ヒアルロン酸ナトリウム、ヒドロキシエチルセルロース、ヒドロキシエチルメチルセルロース、Ｎ−ヒドロキシエチルラクトアミド液、ヒドロキシプロピルスターチ、ヒドロキシプロピルセルロース、ヒドロキシプロピルメチルセルロース２２０８、ヒドロキシプロピルメチルセルロース２９０６、ヒドロキシプロピルメチルセルロース２９１０、ヒドロキシプロピルメチルセルロースアセテートサクシネート、ヒドロキシプロピルメチルセルロース２９１０・酸化チタン・マクロゴール４００混合物、ヒドロキシプロピルメチルセルロースフタレート、ピペロニルブトキシド、フィチン酸、フタル酸ジエチル、フタル酸ジオクチル、フタル酸ジブチル、フタル酸ジメチル、ブチルフタリルブチルグリコレート、１，３−ブチレングリコール、プロピレングリコール、プロピレングリコール脂肪酸エステル、１，２，６−ヘキサントリオール、ベンジルアルコール、ポリアクリル酸、ポリアクリル酸水溶液(２０％)、ポリアクリル酸ナトリウム、ポリアクリル酸部分中和物、ポリオキシエチレン硬化ヒマシ油、ポリオキシエチレン硬化ヒマシ油１０、ポリオキシエチレン硬化ヒマシ油１００、ポリオキシエチレン硬化ヒマシ油２０、ポリオキシエチレン硬化ヒマシ油４０、ポリオキシエチレン硬化ヒマシ油５、ポリオキシエチレン硬化ヒマシ油５０、ポリオキシエチレン硬化ヒマシ油６０、ポリオキシエチレンジスチリルフェニルエーテル、ポリオキシエチレンソルビタンモノラウレート、ポリオキシエチレン多環フェニルエーテル硫酸アンモニウム塩、ポリオキシエチレンヒマシ油、ポリオキシエチレン（２０）ポリオキシプロピレン（２０）グリコール、ポリオキシエチレン（３）ポリオキシプロピレン（１７）グリコール、ポリオキシエチレンヤシ油脂肪酸グリセリル（７Ｅ．Ｏ．）、ポリオキシル ３５ ヒマシ油、ポリソルベート２０、ポリソルベート４０、ポリソルベート６０、ポリソルベート６５、ポリソルベート８０、ポリビニルアルコール（部分けん化物）、ポリビニルアルコール・ジエチレングリコール混合物、ポリビニルアルコール・ジブチルエーテル混合物、ポリブテン、ポリプロピレングリコール２０００、末端水酸基置換メチルポリシロキサンシリコーン樹脂共重合体、ミリスチン酸、ミリスチン酸イソプロピル、ミリスチン酸オクチルドデシル、メタクリル酸ラウリル、α−モノイソステアリルグリセリルエーテル、モノエタノールアミン、モノラウリン酸ソルビタン、モノラウリン酸ポリエチレングリコール、ラウリルジアミノエチルグリシンナトリウム液、ラウリン酸デカグリセリル、硫酸化���マシ油カリウム塩・アルキルベンゼンスルホン酸塩混合物、流動クマロン樹脂、リン酸ポリオキシエチレンオレイルエーテル（８ＭＯＬ）、ローヤルゼリー、アクリル酸エチル・メタクリル酸メチルコポリマー分散液、イソステアリルアルコール、イソステアリルパルミテート、イソステアリン酸、イソステアリン酸ヘキサデシル、オクタクロロジプロピルエーテル、オクチルデシルトリグリセリド、オクチルドデカノール、オレイルアルコール、オレイン酸エチル、オレイン酸オレイル、オレイン酸デシル、オレイン酸ナトリウム、キサンタンガム、軽質無水ケイ酸含有ヒドロキシプロピルセルロース、結晶セルロース、結晶セルロース・カルメロースナトリウム、結晶セルロース（微粒子)、結晶セルロース（粒）、高級アルコール硫酸化物、高級脂肪酸塩型乳化剤、高級脂肪酸塩・硫酸化ヒマシ油混合乳化剤、合成ケイ酸アルミニウム・ヒドロキシプロピルスターチ・結晶セルロース、高度精製卵黄レシチン、小麦粉、コムギデンプン、コムギ胚芽粉、米粉、コメデンプン、サラシミツロウ、サリチル酸エチレングリコール、酸化デンプン、ジエチレングリコール、ジエチレングリコールモノブチルエーテル、ジエチレングリコールモノメチルエーテル、ジオクチルソジウムスルホサクシネート、α−シクロデキストリン、β−シクロデキストリン、ジステアリン酸ポリエチレングリコール、精製大豆レシチン、精製卵黄レシチン、デキストラン、デキストラン４０、デキストラン７０、デキストリン、パルミチン酸、メタクリル酸・アクリル酸ｎ−ブチルコポリマー、メタクリル酸コポリマーＬ、メタクリル酸コポリマーＬＤ、メタクリル酸コポリマーＳ、モノオレイン酸グリセリン・ジオレイン酸グリセリン・プロピレングリコール混合乳化剤、モノオレイン酸ソルビタン、モノオレイン酸ポリオキシエチレンソルビタン（６Ｅ．Ｏ．）、ヤシ油脂肪酸ジエタノールアミド、ラウリルアルコール、リノール酸イソプロピル、リノール酸エチル、アセチルグリセリン脂肪酸エステル、イソパラフィン、イボタロウ、カスターワックス、吸着精製ラノリン、軽質流動パラフィン、鯨ロウ、合成ワックス、硬ロウ、自己乳化型ステアリン酸プロピレングリコール、自己乳化型モノステアリン酸グリセリン、水素添加ラノリンアルコール、ステアリルアルコール、ステアリルアルコール・ポリオキシエチレンステアリルエーテル混合物、ステアリン酸、ステアリン酸亜鉛、ステアリン酸アルミニウム、ステアリン酸カリウム、ステアリン酸カルシウム、ステアリン酸ナトリウム、ステアリン酸ポリオキシル４０、ステアリン酸ポリオキシル４５、ステアリン酸ポリオキシル５５、ステアリン酸マグネシウム、精製パラフィン・カルナウバロウ混合ワックス、精製モンタンワックス、セタノール、セタノール・ポリオキシエチレンセチルエーテル混合ワックス、セタノール・ポリオキシエチレンセチルエーテル・ラウリル硫酸ナトリウム混合ワックス、セタノール・ポリソルベート６０混合ワックス、セタノール・モノステアリン酸ポリエチレングリコール混合ワックス、セタノール・モノステアリン酸ポリオキシエチレンソルビタン混合ワックス、セトステアリルアルコール、セトステアリルアルコール・セトステアリル硫酸ナトリ��ム混合物、セトステアリルアルコール・ラウリル硫酸ナトリウム混合物、セトマクロゴール１０００、トリイソステアリン酸ポリオキシエチレングリセリル、トリステアリン酸ソルビタン、トリステアリン酸ポリオキシエチレンソルビタン、パラフィン、ポリオキシエチレンアラキルエーテル・ステアリルアルコール混合物、ポリオキシエチレンステアリルエーテル、ポリオキシエチレンステアリルエーテルリン酸、ポリオキシエチレンセチルエーテル、ポリオキシエチレンセチルエーテルリン酸ナトリウム、ポリオキシエチレンセチルエーテルリン酸ナトリウム（５Ｅ．Ｏ．）、ポリオキシエチレンソルビットミツロウ、ポリオキシエチレンノニルフェニルエーテル、ポリオキシエチレンノニルフェニルエーテル・アルキルベンゼンスルホン酸カルシウム混合物、ポリオキシエチレンベヘニルエーテル、ポリオキシエチレン（１０５）ポリオキシプロピレン（５）グリコール、ポリオキシエチレン（１２０）ポリオキシプロピレン（４０）グリコール、ポリオキシエチレン（１６０）ポリオキシプロピレン（３０）グリコール、ポリオキシエチレン（１９６）ポリオキシプロピレン（６７）グリコール、ポリオキシエチレン（２００）ポリオキシプロピレングリコール（７０）、ポリオキシエチレン（１）ポリオキシプロピレン（１）セチルエーテル、ポリオキシエチレン（１０）ポリオキシプロピレン（４）セチルエーテル、ポリオキシエチレン（１７）ポリオキシプロピレン（２３）セチルエーテル、ポリオキシエチレン（２０）ポリオキシプロピレン（４）セチルエーテル、ポリオキシエチレン（２０）ポリオキシプロピレン（８）セチルエーテル、ポリオキシエチレンラノリン、マクロゴール１０００、マクロゴール１５００、マクロゴール１５４０、マクロゴール２００、マクロゴール２００００、マクロゴール３００、マクロゴール３５０００、マクロゴール４００、マクロゴール４０００、マクロゴール６００、マクロゴール６０００、ミツロウ、ミリスチン酸セチル、ミリスチン酸ミリスチル、ミリスチン酸メチル、モクロウ、モノオレイン酸ポリエチレングリコール、モノステアリン酸アルミニウム、モノステアリン酸エチレングリコール、モノステアリン酸グリセリン、モノステアリン酸ソルビタン、モノステアリン酸バチル、モノステアリン酸プロピレングリコール、モノステアリン酸ポリエチレングリコール、モノパルミチン酸ソルビタン、モ
ノミリスチン酸グリセリン、モノラウリン酸ポリオキシエチレンソルビット、ヤシ油脂肪酸、ラウリルリン酸ナトリウム・モノステアリン酸グリセリン混合物、ラウリン酸ジエタノールアミド、ラウロマクロゴール、ラノリンアルコール、ラノリン脂肪酸イソプロピル、流動パラフィン、黄色ワセリン、加水ラノリン、吸水軟膏(Ａ、Ｂのいずれかで記載する)、親水軟膏(Ａ、Ｂのいずれかで記載する)、親水ワセリン(Ａ、Ｂのいずれかで記載する)、親油型モノオレイン酸グリセリン、精製ラノリン、単軟膏(Ａ、Ｂのいずれかで記載する)、テトラオレイン酸ポリオキシエチレンソルビット、白色軟膏(Ａ、Ｂのいずれかで記載する)、白色ワセリン、パルミチン酸セチル、ポリオキシエチレンアルキルエーテル、ポリオキシエチレンオクチルフェニルエーテル、ポリオキシエチレンオレイルアミン、ポリオキシエチレンオレイルエーテル、ポリオキシエチレンオレイルエーテルリン酸ジエタノールアミン、ポリオキシエチレンオレイルエーテルリン酸ナトリウム、ポリオキシエチレン（４２）ポリオキシプロピレン（６７）グリコール、ポリオキシエチレン（５４）ポリオキシプロピレン（３９）グリコール、ポリオキシエチレンラノリンアルコールエーテル（５Ｅ．０．）、マクロゴール軟膏、モノオレイン酸グリセリン、モノステアリン酸ポリオキシエチレングリセリン、モノステアリン酸ポリオキシエチレンソルビタン（６Ｅ．Ｏ．）、リン酸ナトリウムポリオキシエチレンラウリルエーテル、ワセリン、ワセリン・ラノリンアルコール混合物、ワセリン・ラノリン・ラノリンアルコール混合物、アクリル酸デンプン１０００、アクリル酸デンプン３００、アミロペクチン、アメ粉、アルファー化デンプン、液糖、エチルセルロース、エチルセルロース水分散液、２−エチルヘキサン酸セチル、２−エチル−１，３−ヘキサンジオール、カラギーナン、カラメル、カラヤガム末、カルボキシビニルポリマー、カルボキシメチルエチルセルロース、カルボキシメチルスターチナトリウム、カルメロース、カルメロースカリウム、カルメロースカルシウム、カルメロースナトリウム、還元水アメ、還元麦芽糖水アメ、高果糖液糖、単シロップ、デンプン（溶性）、デンプンリン酸エステルナトリウム、バレイショデンプン、半消化体デンプン、ブトウ糖果糖液糖、粉糖、粉末飴、粉末還元麦芽糖水アメ、粉末セルロース、ペクチン、水アメ、メチルセルロース。【００１６】
潤滑剤としては、第２の薬剤，第３の薬剤の片方もしくは両方に溶け、シール部材の摺動性を低下させるものが好ましい。【００１７】
潤滑剤が第２の薬剤，第３の薬剤の片方もしくは両方によって溶解すると、シリンジに取り付けた移注針コネクタに第２の薬剤容器と第３の薬剤容器を取り付け、プランジャーを引張り、移注針コネクタを通じて第２の薬剤および第３の薬剤をシリンジ内に導入した際、潤滑剤が溶解してシール部材の摺動性が低下し、シリンジ内部が陰圧状態となってもプランジャーが元の位置に戻らないという点で好ましい。【００１８】
かかる効果の観点から前記の潤滑剤を好ましい例として挙げることができ、中でもより好ましくはシリコンオイルを挙げることができる。【００１９】
潤滑剤としてシリコンオイルを用いると、３成分混合を行うためにプランジャーを引っ張った場合に、シリンジ内に導入されてくる薬剤により、潤滑剤としてのシリコンオイルが一部溶かされ、結果としてプランジャーの摺動性が低下する。【００２０】
これにより、プランジャーに吐出口側からの吸引力が作用していても、そのプランジャーは元の位置に戻ることができなくなる。よって、プランジャーから手を離したとしても、プランジャーを今ある位置に停止させることができる。【００２１】
このように、シリコンオイルが塗布されていれば、３成分混合を行うためにプランジャーを引っ張った場合に、シリンジ内に導入されてくる薬剤によりシリコンオイルが一部溶かされるが、前記シリンジの内周面及びシール部材に残ったシリコンオイル、また、シリンジ内に導入された薬剤に触れなかったシール部材側面のシリコンオイルにより、プランジャーの摺動性を容易に操作可能な状態に維持させることができる。【００２２】
さらに、本発明では、
前記移注針コネクタに設けられた前記第２薬剤容器の接続部と、前記第３薬剤容器の接続部とに、それぞれ針部材が具備されていることが好ましい。【００２３】
このような構成であれば、第２薬剤容器と第３薬剤容器とを、移注針コネクタの接続部に取り付ける作業を行う場合に、薬剤容器の取付と同時に薬剤容器に孔を穿設することができる。【００２４】
また、本発明では、
前記第１の薬剤が粉体、前記第２の薬剤が液体、前記第３の薬剤が液体であることが好ましい。【００２５】
このような構成であれば、第１の薬剤が粉体、第２の薬剤が液体、第３の薬剤が液体である場合に、ユーザーが直ちに３成分を混合して使用することができる。【００２６】
また、本発明に係る３成分混合接着剤キットは、
上記いずれかに記載の３成分混合装置を分解した状態で箱体内に備えたことを特徴としている。【００２７】
このような構成であれば、出荷や管理、あるいは持ち運びに便利であるとともに、ユーザーが作業を間違うことなく直ちに３成分を混合して使用することができる。
【発明の効果】
【００２８】
本発明に係る３成分混合装置によれば、プランジャーを引っ張るという一回の動作により３つの薬剤を混合することができるので、適量の３つの薬剤の均一混合を、誰でも容易に短時間で行うことができる。【００２９】
また、シリンジの内周面及びシール部材にシリコンオイルが塗布されていれば、潤滑剤としてのシリコンオイルが、シリンジ内に導入された薬剤によって溶かされるので、結果、プランジャーの摺動性が低下し、プランジャーを引く途中で手を離しても、プランジャーが元の位置に戻ることを防止できる。これにより、プランジャーを押さえながら撹拌するなどの煩雑な操作なしに、容易に撹拌できる。【００３０】
さらに、移注針コネクタに針部材が具備されていれば、薬剤容器の取り付け作業を行う場合に、薬剤容器の取付と同時に薬剤容器に孔を穿設することができる。【００３１】
また、第１の薬剤が粉体、第２の薬剤が液体、第３の薬剤が液体であれば、外科用及び歯科用接着剤などの混合用として有効利用することができる。よって、外科医師及び歯科医師などのユーザーが手術あるいは処置などで接着剤が必要な場合に、その場で直ちに３成分を混合して接着剤として使用することができる。【００３２】
さらに、本発明に係る３成分混合接着剤キットによれば、誰でも容易に間違うことなく混合作業を行うことができる。
【図面の簡単な説明】
【００３３】
【図１】図１は、本発明の一実施例に係る３成分混合装置と２つの薬剤容器を取り付けるときの取付態様を示す分解図である。
【図２】図２は本発明の一実施例による３成分混合装置と、この３成分混合装置に選択的に取り付けられる封止部材と刷毛部材との関係を示した概略断面図である。
【図３】図３は本発明の一実施例に係る３成分混合装置に採用された移注針コネクタと、移注針コネクタに取り付けられる薬剤容器とを示した斜視図である。
【図４】図４は、図３に示した移注針コネクタの断面図である。
【図５】図５は図３に示した薬剤容器の容器本体と蓋体とを分解して示す一部破断面図である。
【図６】図６は本発明の一実施例に係る３成分混合装置の各部材が箱体内に収容された３成分混合接着剤キットを示す斜視図である。
【図７】図７は本発明の一実施例に係る３成分混合装置の、混合作業を行う前の状態を示す概略断面図である。
【図８】図８は移注針コネクタの変形例を示した斜視図である。
【図９】図９は、図８の移注針コネクタに薬剤容器を取り付けるときの断面図である。
【図１０】図１０（Ａ）、（Ｂ）は移注針コネクタの他の変形例で、移注針コネクタの筒状部材を延長し、延長部分の内周面の突起により２つの薬剤容器を移注針コネクタに取り付ける場合の説明図である。
【図１１】図１１はエラストマー製のキャップを用いて２つの薬剤容器を移注針コネクタに取り付ける場合の説明図である。
【図１２】図１２は捕集体により２つの薬剤容器を移注針コネクタに取り付ける場合の説明図である。
【図１３】図１３は図２に示した刷毛部材の種々の例を示す一覧である。
【図１４】図１４は、図１３に示した刷毛部材に代わるパイプ状のノズルの斜視図である。
【発明を実施するための形態】
【００３４】
以下、図面を参照しながら本発明の一実施例に係る３成分混合装置について説明する。
【００３５】
図１は、本発明の一実施例による３成分混合装置と２つの薬剤容器を取り付けるときの取付態様を示す分解図である。なお、このような３成分混合装置２は、３成分を混合するための装置として様々な用途が考えられるが、以下の説明では、３成分からなる接着剤の混合に適用した例について説明する。
【００３６】
図１に示した実施例の３成分混合装置２は、第１の薬剤Ａが予め収容された筒状のシリンジ４と、シリンジ４内に収容され先端部にシール部材６が装着されたプランジャー８と、シリンジ４の吐出口４ａの外方に着脱自在に装着される移注針コネクタ１０とを備えている。この３成分混合装置２に、後述するように、第２薬剤容器１６と、第３薬剤容器１８とが取り付けられる。
【００３７】
なお、シリンジ４内に第１の薬剤Ａが収容されている場合は、シリンジ４の吐出口４ａには、図２に示した封止部材１２が着脱自在に装着される。これにより、薬剤などがシリンジ４の外方に漏れてしまうことはない。したがって、封止部材１２は、例えば、出荷の時点から薬剤を混合する作業を行う時まで使用することが好ましい。なお、図１において符号４ｂは口栓部、符号４ｃは内ネジである。
【００３８】
一方、この３成分混合装置２により後述する態様で３成分が混合された後、混合された薬剤を接着剤として取り出す場合には、封止部材１２に代えて、図２に示した刷毛部材１４が装着される。刷毛部材１４は、封止部材１２とは異なり、内部に外方に通じる通路を有していることから、接着剤の塗布または排出が可能である。
【００３９】
プランジャー８は、接着剤を構成する薬剤の種類によっても異なるが、一般にはポリプロピレン樹脂などにより形成されることが好ましい。シール部材６は、特に限定されないが、耐薬品性のあるブチル系ゴム（例えばブチルゴム、塩素化ブチルゴム）から形成されることが好ましい。また、シール部材６は、シリコンオイルが塗布されていることが好ましい。
【００４０】
移注針コネクタ１０の先端側には、第２薬剤容器１６を取り付けるための接続部２０と、第３薬剤容器１８を取り付けるための接続部２２とが並設されている。また移注針コネクタ１０の基端側には、一本の合流通路３０が形成されている。すなわち、移注針コネクタ１０では、図４に示したように一方側に２つの通路２６ａ，２８ａが、他方側に１つの合流通路３０が形成され、通路２６ａ，２８ａと合流通路３０とをバイパス通路２６ｂ，２８ｂで繋いでいる。
【００４１】
図３に示したように、移注針コネクタ１０に並設された接続部２０と接続部２２には、直線状のスリット２４により半割体とされた円筒状スカート部材２５，２５が具備され、これにより、径拡開方向に若干開くことが可能とされている。
【００４２】
一方、円筒状スカート部材２５を備えた接続部２０，２２の中央部には、先端部に、貫通孔３４が形成された針部材２６，２８が突設されている。
【００４３】
上記移注針コネクタ１０に着脱自在に取り付けられる第２薬剤容器１６と第３薬剤容器１８とは、同一の形状に設定されていることが好ましい。これにより、部品の共用化を図ることができる。
【００４４】
以下、第２薬剤容器１６と第３薬剤容器１８とは同一形状であるため、図５を参照しながら第２薬剤容器１６を例にして説明する。
【００４５】
第２薬剤容器１６は、図５に示したように、容器本体１６ａと蓋体３２とから構成されている。特に容器本体１６ａは、耐薬品性のガラスから構成されていることが好ましい。
【００４６】
一方、適宜な合成樹脂からなる蓋体３２は、天板部３２ａの中央部に開口３２ｂが形成され、下端部には若干径が大きい鍔部３２ｃが具備されている。なお、蓋体３２の下端部に、このような鍔部３２ｃが具備されることにより、第２薬剤容器１６を、移注針コネクタ１０の接続部２０に挿入した場合に円筒状スカート部材２５が拡開されることになる。
【００４７】
よって、蓋体３２が容器本体１６ａに装着された状態の第２薬剤容器１６を、移注針コネクタ１０の接続部２０に挿入した場合、蓋体３２の鍔部３２ｃが接続部２０の開口端を通過すれば、円筒状スカート部材２５が少し広がり、鍔部３２ｃを捕捉するとともに、円筒状スカート部材２５が元の位置に戻ろうとして復元力を発揮するので、その復元力により、第２薬剤容器１６を確実に保持させることができる。
【００４８】
一方、図５に示したように、蓋体３２の天板部３２ａには、その開口３２ｂを覆うように、裏側からシール部材３７が介装されている。
【００４９】
このシール部材３７は、三層構造からなるもので、具体的には、中央部にゴム部材、より好適には耐薬品性の高いブチル系ゴム（例えばブチルゴム、塩素化ブチルゴム）からなる芯材３７ａを有し、その両側にテフロン（登録商標）などのフッ素樹脂フィルム３７ｂが貼り合わされている。
【００５０】
なお、第２薬剤容器１６および第３薬剤容器１８は、それに対応する容器本体１６ａ内に、第２の薬剤Ｂまたは第３の薬剤Ｃが収容された後、容器本体１６ａと蓋体３２とを含む外周面全体（蓋体３２の開口３２ｂを除く）が、シュリンクフィルムで覆われていることが好ましい。
【００５１】
このように容器本体１６ａと蓋体３２との外周面全体がシュリンクフィルムで一体的に覆われていれば、蓋体３２の不用意な回動を防止することができる。これにより、内部に収容された第２の薬剤Ｂ，第３の薬剤Ｃなどが漏れ出てしまうことがない。
【００５２】
そして、図５に示したように、第２薬剤容器１６は、移注針コネクタ１０の接続部２０に着脱自在に接続され、第３薬剤容器１８は、移注針コネクタ１０の接続部２２に着脱自在に取り付けられる。このとき、移注針コネクタ１０の内方に突設された針部材２６，２８が、第２薬剤容器１６のシール部材３７と第３薬剤容器１８のシール部材３７とを突き刺すので、この時点でシール部材３７，３７に孔が開く。これにより、容器本体１６ａ内の第２の薬剤Ｂ、第３の薬剤Ｃが外方に排出可能となる。
【００５３】
本実施例による３成分混合装置の各構成要素は上記のように形成されているが、これらは図６に示したように適宜な状態にして箱体３８内に収容され、３成分混合接着剤キット５０として構成され、この状態で出荷あるいは管理されることが好ましい。
【００５４】
すなわち、シリンジ４内に第１の薬剤Ａが収容され、さらにシリンジ４内にプランジャー８が挿入され、シリンジ４の吐出口４ａに封止部材１２が装着される。このように、シリンジ４とプランジャー８と封止部材１２とでシリンジ組立体４１が構成される。また、箱体３８内に、シリンジ組立体４１の他に、第２の薬剤Ｂが収容された第２薬剤容器１６と、第３の薬剤Ｃが収容された第３薬剤容器１８と、移注針コネクタ１０と、刷毛部材１４とが収容される。
【００５５】
このように、これら各構成要素を箱体３８内に収容した後、箱体３８の上部開口に滅菌紙４２が封止されて出荷される。
【００５６】
３成分混合装置２が外科用手術（または処置）あるいは歯科用手術（または処置）の接着剤の混合に用いられる場合、第１の薬剤Ａはポリマー（粉体）であり、第２の薬剤Ｂは触媒（液体）であり、第３の薬剤Ｃはモノマー（液体）である。その場合、第１の薬剤Ａとなるポリマー（粉体）としては、例えば、メタクリレート重合体からなる粉体及びアクリレート重合体からなる粉体が挙げられる。
【００５７】
また、第２の薬剤Ｂとなる触媒（液体）としては、例えば、トリアルキルホウ素もしくはその部分酸化物に代表される有機ホウ素化合物、及び、有機ホウ素化合物を、例えば非プロトン性溶媒、または非プロトン性溶媒に少量のアルコールを混合した混合溶媒などの溶媒に溶解した液体が挙げられる。さらに、第３の薬剤Ｃとなるモノマー（液体）としては、例えば、メタクリル酸メチル、メタクリル酸エチル、メタクリル酸ブチル、2-ヒドロキシエチルメタクリレート、3−（トリメトキシシリル）プロピルメタクリレート、2-（フェニルホスホリル）エチルメタクリレート、2-ヒドロキシ-3-（β-ナフトキシ）プロピルメタクリレート、N-フェニル-N-（2-ヒドロキシ-3-メタクリロキシ）プロピルグリシン、エチレングリコールジメタクリレート、ジエチレングリコールジメタクリレート、トリエチレングリコールジメタクリレート、1,4-ブタンジオールジメタクリレート、1,3-ブタンジオールジメタクリレート、2,2-ビス[4-（2-ヒドロキシ-3-メタクリロキシプロポキシ）フェニル]プロパン、2,2-ビス（4-メタクリロキシフェニル）プロパン、2,2-ビス（4-メタクリロキシエトキシフェニル）プロパン、2,2-ビス（4-メタクリロキシポリエトキシフェニル）プロパン、ジ（メタクリロキシエチル）トリメチルヘキサメチレンジウレタン、トリメチロールプロパントリメタクリレート、ヒドロキシナフトキシプロピルメタクリレート、４−メタクリロキシエチルトリメリット酸無水物、4-メタクリロキシエチルトリメリット酸、11-メタクリロキシ-1,1-ウンデカンジカルボン酸、10-メタクリロキシデカメチレンリン酸、4-メタアクリロイルアミノサリチル酸、5-メタアクリロイルアミノサリチル酸に代表されるメタクリレート及びアクリレートが挙げられる。
【００５８】
次に、３成分を混合する使用時について説明する。
【００５９】
今、箱体３８内から、例えばシリンジ組立体４１と、第２薬剤容器１６と第３薬剤容器１８と、移注針コネクタ１０とが取り出される。先ず、シリンジ組立体４１から封止部材１２が外される。次に、シリンジ組立体４１に移注針コネクタ１０を取付け、その後、移注針コネクタ１０に第２薬剤容器１６と第３薬剤容器１８を取り付ける。
【００６０】
これにより、図７に示したように、３成分混合作業の準備が完了する。
【００６１】
なお、最初に移注針コネクタ１０に第２薬剤容器１６と第３薬剤容器１８とを取り付け、その後、第２薬剤容器１６と第３薬剤容器１８とが取り付けられた移注針コネクタ１０を、封止部材１２が外されたシリンジ組立体４１に取り付けても良い。
【００６２】
そして、図７に示したように、第２の薬剤容器１６、第３薬剤容器１８側を上にしてプランジャー８をシリンジ４に対して引き下げる。
【００６３】
このように、プランジャー８のシリンジ４に対する引き下げ動作を途中まで行えば、第２薬剤容器１６内の第２の薬剤Ｂと、第３薬剤容器１８内の第３の薬剤Ｃとを、バイパス通路２６ｂ，２８ｂを介して合流通路３０内に吸引し、さらにシリンジ４内に導入することができる。
【００６４】
シリンジ４内に導入された第２の薬剤Ｂと第３の薬剤Ｃとの混合薬剤は、シリンジ４内の第１の薬剤Ａと合流される。なお、この動作途中でプランジャー８から手を離したとしても、プランジャー８が元の位置に戻ることはない。これは、シリンジ４内に導入された第２の薬剤Ｂと第３の薬剤Ｃに、シリンジ４の内周面に塗布されたシリコンオイルや、シール部材６に塗布されたシリコンオイルの一部が溶かされた結果、プランジャー８の摺動性が低下したためである。
【００６５】
このようにして、第２の薬剤Ｂと第３の薬剤Ｃとが、シリンジ４内の第１の薬剤Ａと合流されたら、移注針コネクタ１０を付けたキット組立体４０を手に持って上下に振動による撹拌を行う。これにより、均一混合が速やかに完了する。
【００６６】
混合が終了したら移注針コネクタ１０を取り外し、移注針コネクタ１０の代わりに図２に示した刷毛部材１４を取付ければ、使用前の準備が完了する。
【００６７】
この準備が完了した後、プランジャー８を吐出口４ａに向かって押し込めば、所望とする接着剤を刷毛部材１４から適量を吐出させることができ、この接着剤を外科用手術（または処置）あるいは歯科用手術（または処置）などに用いることが可能になる。
【００６８】
使用後は、廃棄処理専用容器などに入れられて集積され、その後、破棄される。
【００６９】
このように本実施例による３成分混合装置２では、３成分の混合を速やかに行わなければ、硬化してしまうような接着剤の混合に、有効に適用することができる。しかも、その作業は極めて容易であり、誰でも間違うことなく行うことができる。
【００７０】
また、多量の接着剤を用いる場合は、３成分混合装置２を２つ、３つと増やすことによって、もしくは、シリンジ４、第２の薬剤容器１６および第３の薬剤容器１８の容量を大きくすることにより、所定量を得ることができる。
【００７１】
以上、本発明の一実施例に係る３成分混合装置２について説明したが、本発明は上記実施例に何ら限定されない。
【００７２】
例えば、図３および図４に示した移注針コネクタ１０は、他の形状であっても良い。例えば、図８に示した移注針コネクタ６０では、接続部２０，２２の壁体を一体化するとともに、その壁体を合流通路３０の外側まで同じ大きさで延出し、その延出された筒状部材６２の外周面に、摩擦抵抗用の突条６１，６１，６１を設けている。
【００７３】
また、図８に示した移注針コネクタ６０では、接続部２０，２２の内周面に複数個の突起６４（図８では３個）が所定間隔離間して設けられている。
【００７４】
このような移注針コネクタ６０では、手に触れる面積が大きくなることから、ユーザーが掴む場合に持ち易くなり、薬剤容器の装着や撹拌作業を容易に行うことができる。
【００７５】
さらに、接続部２０，２２の内周面に、それぞれ複数個の突起６４を設ければ、以下のような作用効果を得ることができる。
【００７６】
すなわち、図９に示した状態から薬剤容器１６，１８を、さらに合流通路３０側に挿入すれば、薬剤容器１６，１８が突起６４を乗り越えていくために、突起６４がない場合に比べてより大きな力が必要となる。
【００７７】
また、大きな力が必要となることに加え、薬剤容器１６，１８が突起６４を乗り越える際の力の変化と発生音、更に、底面への衝突音をユーザーが感じることにより、確実に薬剤容器１６，１８が挿入されたか否かを確認することができる。
【００７８】
また、このように薬剤容器１６，１８が確実に挿入された状態になれば、突起６４が薬剤容器１６，１８の鍔部３２ｃと容器本体１６ａ、及び容器本体１６ａの肩部の間に入り、薬剤容器１６，１８の合流通路３０側からの抜けを防止することができる
さらに、図１０（Ａ），（Ｂ）に示したような移注針コネクタ８０を採用することができる。
【００７９】
この移注針コネクタ８０は、図８に示した移注針コネクタ６０の変形例であり、筒状部材６２をさらに延長してスカート部分８２としている。スカート部分８２における薬剤容器１６，１８の装着部には、軸方向にスリット２４，２４が設けられている。また、薬剤容器１６，１８の装着部の内周面には、突起６４，６５が、それぞれ周方向に複数個形成されている。
【００８０】
このように、移注針コネクタ８０の内周面に、複数個の突起６４とともにさらに複数個の突起６５がそれぞれ形成されていれば、これら突起６５が鍔部３２ｃと容器本体１６ａの肩部の間に入り薬剤容器１６，１８の蓋体３２，３２を仮止めした状態で収容することができる。
【００８１】
したがって、薬剤容器１６，１８が未だ針部材２６，２８内に挿通されない状態にして、図１０（Ａ）に示したように、薬剤容器１６，１８を移注針コネクタ８０に仮装着することができる。また、図１０に示した状態から薬剤容器１６，１８を、さらに挿入すれば、薬剤容器１６，１８が突起６４を乗り越えていくために、これまでより大きな力が必要となる。
【００８２】
また、同時にこれらの薬剤容器１６，１８が針部材２６，２８を超えて完全に内方まで装着され、薬剤容器１６，１８の蓋体３２が、スカート部分８２の内方に設けられた底面に衝突する。この突起６４を乗り越える際の力の変化と発生音、更に、底面への衝突音をユーザーが感じることにより、確実に薬剤容器１６，１８が挿入されたか否かを確認することができる。また、このように薬剤容器１６，１８が確実に挿入された状態になれば、突起６４が薬剤容器１６，１８の鍔部３２ｃと容器本体１６ａ、及び容器本体１６ａの肩部の間に入り薬剤容器１６，１８の移注針コネクタ８０からの抜けを防止することができる。
【００８３】
これにより、例えば、図６に示したように、３成分混合接着剤キット５０として箱体３８内に収容する場合に、第２薬剤容器１６と第３薬剤容器１８とを移注針コネクタ８０に仮の状態で組み付けて、出荷することもできる。
【００８４】
さらに、図１１に示したように、エラストマー製のキャップ６６を用意し、このキャップ６６を例えば移注針コネクタ６０の開口端に密着状態で装着すれば、このキャップ６６の内側が鍔部３２ｃと容器本体１６ａの肩部の間に入り薬剤容器１６，１８を移注針コネクタ６０などに仮止めすることができる。
【００８５】
また、図１２に示したように、２つの薬剤容器１６，１８を２つ並べて着脱自在に収容することのできる捕集体６８を用意し、この捕集体６８に薬剤容器１６，１８を予め装着しておけば、薬剤容器１６，１８を一度の動作で移注針コネクタ６０などに装着することが可能である。なお、捕集体６８の材質は、エラストマーであっても合成樹脂であっても良い。
【００８６】
また、図２に示した刷毛部材１４は、上記実施例に何ら限定されない。
【００８７】
例えば、図１３に示したように、刷毛部材１４の吐出部３５を形成する先端面を斜めに形成すれば、接着剤を塗り易くすることができる。
【００８８】
なお、図１３において、刷毛部材４Ｓは標準形を示している。
【００８９】
一方、刷毛部材４Ｓ'は、吐出部３５が所定の角度、傾斜している。
【００９０】
また刷毛部材４Ｌ',４Ｒ'も刷毛部材４Ｓ'と同様に、吐出部３５が所定の角度、傾斜している。
【００９１】
さらに、刷毛部材４Ｌ，４Ｌ'は、図１３において一方の端部が左上がりとなるように斜めに傾斜して形成され、これらの刷毛部材４Ｌ，４Ｌ'は左手で使用するのに適している。
【００９２】
また、刷毛部材４Ｒ，４Ｒ'は、図１３において他方の端部が右上がりとなるよう斜めに傾斜して形成され、これらの刷毛部材４Ｒ，４Ｒ'は右手で使用するのに適している。
【００９３】
このように、ユーザーの利き手に合わせて刷毛部材の傾斜角度を選択すれば、使い勝手が良好になる。また、接着剤を少量使用する場合には、図１４に示したように、パイプ状のノズル８４を使用することもできる。
【産業上の利用可能性】
【００９４】
本発明は、外科用手術（または処置）あるいは歯科用手術（または処置）の際に使用される接着剤の混合に好ましく用いることができるが、さらに、歯科材料の接着剤の混合用として、あるいは工業製品の接着剤の混合用としても適用できる。【００９５】
また、接着剤でなくても３成分を混合する場合に有効に適用でき、特に、３成分を短時間で混合したい場合に有効である。
【符号の説明】
【００９６】
２        ３成分混合装置
４        シリンジ
４ａ      吐出口
４ｂ      口栓部
４ｃ      内ネジ
６        シール部材
８        プランジャー
１０      移注針コネクタ
１２      封止部材
１４      刷毛部材
１６      第２薬剤容器
１６ａ    容器本体
１８      第３薬剤容器
２０      接続部
２２      接続部
２４      スリット
２５      円筒状スカート部材
２６      針部材
２６ａ    通路
２６ｂ    バイパス通路
２８      針部材
２８ａ    通路
２８ｂ    バイパス通路
３０      合流通路
３２      蓋体
３２ａ    天板部
３２ｂ    開口
３２ｃ    鍔部
３４      貫通孔
３５      吐出部
３７      シール部材
３７ａ    芯材
３７ｂ    フッ素樹脂フィルム
３８      箱体
４０      キット組立体
４１      シリンジ組立体
４２      滅菌紙
５０      ３成分混合接着剤キット
６０      移注針コネクタ
６１      突条
６２      筒状部材
６４      突起
６６      キャップ
６８      捕集体
８０      移注針コネクタ
８２      スカート部分
８４      ノズル
Ａ        第１の薬剤
Ｂ        第２の薬剤
Ｃ        第３の薬剤
【図１】
2013179832.tif 000003
【図２】
2013179832.tif 000004
【図３】
2013179832.tif 000005
【図４】
2013179832.tif 000006
【図５】
2013179832.tif 000007
【図６】
2013179832.tif 000008
【図７】
2013179832.tif 000009
【図８】
2013179832.tif 000010
【図９】
2013179832.tif 000011
【図１０】
2013179832.tif 000012
【図１１】
2013179832.tif 000013
【図１２】
2013179832.tif 000014
【図１３】
2013179832.tif 000015
【図１４】
2013179832.tif 000016
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
先端部に吐出口が形成されるとともに、第１の薬剤が予め収容されたシリンジと、
前記シリンジ内に挿入され、シール部材が装着されたプランジャーと、
第２の薬剤が収容された第２薬剤容器の接続部と、第３の薬剤が収容された第３薬剤容器の接続部とが、先端部に形成される一方、基端部に合流通路が形成された移注針コネクタと、を備え、
前記シリンジの内周面に、潤滑剤が塗布されており、
前記第２薬剤容器の接続部に前記第２薬剤容器を取付し、前記第３薬剤容器の接続部に前記第３薬剤容器を取付し、さらに前記シリンジの前記吐出口を、前記移注針コネクタの基端部の合流通路に着脱自在に取付し、
前記プランジャーを前記シリンジに対して引っ張ることにより、前記移注針コネクタを介して前記第２薬剤容器内の第２の薬剤と、前記第３薬剤容器内の第３の薬剤とを、前記シリンジ内に導き入れ、これにより前記シリンジにおいて前記第１の薬剤と前記第２の薬剤と前記第３の薬剤とを混合するように構成されていることを特徴とする３成分接着剤用混合装置。
【請求項２】
前記シール部材に、潤滑剤が塗布されていることを特徴とする請求項１に記載の３成分接着剤用混合装置。
【請求項３】
前記潤滑剤がシリコンオイルであることを特徴とする請求項１または２に記載の３成分接着剤用混合装置。
【請求項４】
前記移注針コネクタに設けられた前記第２薬剤容器の接続部と、前記第３薬剤容器の接続部とに、それぞれ針部材が具備されていることを特徴とする請求項１〜３のいずれかに記載の３成分接着剤用混合装置。
【請求項５】
前記第１の薬剤が粉体、前記第２の薬剤が液体、前記第３の薬剤が液体であることを特徴とする請求項１〜４のいずれかに記載の３成分接着剤用混合装置。
【請求項６】
請求項１〜５のいずれかに記載の３成分接着剤用混合装置を分解した状態で箱体内に備えたことを特徴とする３成分混合接着剤キット。
【手続補正３】
【補正対象書類名】明細書
【補正対象項目名】０００１
【補正方法】変更
【補正の内容】
【０００１】
本発明は、例えば、外科用手術（または処置）あるいは歯科用手術（または処置）などに用いられる３成分混合接着剤の混合容器として好適な３成分接着剤用混合装置および３成分混合接着剤キットに関する。
【手続補正４】
【補正対象書類名】明細書
【補正対象項目名】０００８
【補正方法】変更
【補正の内容】
【０００８】
本発明は、このような従来の実情に鑑み、例えば、外科用手術（または処置）あるいは歯科用手術（または処置）などで用いられる３成分混合接着剤を混合するにあたり、これら３種の薬剤を誰でも容易に、かつ均一にしかも短時間で混合することができる３成分接着剤用混合装置および３成分混合接着剤キットを提供することを目的としている。
【手続補正５】
【補正対象書類名】明細書
【補正対象項目名】０００９
【補正方法】変更
【補正の内容】
【０００９】
上記目的を達成するための本発明に係る３成分接着剤用混合装置は、
先端部に吐出口が形成されるとともに、第１の薬剤が予め収容されたシリンジと、
前記シリンジ内に挿入され、シール部材が装着されたプランジャーと、
第２の薬剤が収容された第２薬剤容器の接続部と、第３の薬剤が収容された第３薬剤容器の接続部とが、先端部に形成される一方、基端部に合流通路が形成された移注針コネクタと、を備え、
前記シリンジの内周面に、潤滑剤が塗布されており、
前記第２薬剤容器の接続部に前記第２薬剤容器を取付し、前記第３薬剤容器の接続部に前記第３薬剤容器を取付し、さらに前記シリンジの前記吐出口を、前記移注針コネクタの基端部の合流通路に着脱自在に取付し、
前記プランジャーを前記シリンジに対して引っ張ることにより、前記移注針コネクタを介して前記第２薬剤容器内の第２の薬剤と、前記第３薬剤容器内の第３の薬剤とを、前記シリンジ内に導き入れ、これにより前記シリンジにおいて前記第１の薬剤と前記第２の薬剤と前記第３の薬剤とを混合するように構成されていることを特徴としている。
【手続補正６】
【補正対象書類名】明細書
【補正対象項目名】００１１
【補正方法】削除
【補正の内容】
【手続補正７】
【補正対象書類名】明細書
【補正対象項目名】００２６
【補正方法】変更
【補正の内容】
【００２６】
また、本発明に係る３成分混合接着剤キットは、
上記いずれかに記載の３成分接着剤用混合装置を分解した状態で箱体内に備えたことを特徴としている。
【手続補正８】
【補正対象書類名】明細書
【補正対象項目名】００２８
【補正方法】変更
【補正の内容】
【００２８】
本発明に係る３成分接着剤用混合装置によれば、プランジャーを引っ張るという一回の動作により３つの薬剤を混合することができるので、適量の３つの薬剤の均一混合を、誰でも容易に短時間で行うことができる。
【手続補正９】
【補正対象書類名】明細書
【補正対象項目名】００３３
【補正方法】変更
【補正の内容】
【００３３】
【図１】図１は、本発明の一実施例に係る３成分接着剤用混合装置と２つの薬剤容器を取り付けるときの取付態様を示す分解図である。
【図２】図２は本発明の一実施例による３成分接着剤用混合装置と、この３成分接着剤用混合装置に選択的に取り付けられる封止部材と刷毛部材との関係を示した概略断面図である。
【図３】図３は本発明の一実施例に係る３成分接着剤用混合装置に採用された移注針コネクタと、移注針コネクタに取り付けられる薬剤容器とを示した斜視図である。
【図４】図４は、図３に示した移注針コネクタの断面図である。
【図５】図５は図３に示した薬剤容器の容器本体と蓋体とを分解して示す一部破断面図である。
【図６】図６は本発明の一実施例に係る３成分接着剤用混合装置の各部材が箱体内に収容された３成分混合接着剤キットを示す斜視図である。
【図７】図７は本発明の一実施例に係る３成分接着剤用混合装置の、混合作業を行う前の状態を示す概略断面図である。
【図８】図８は移注針コネクタの変形例を示した斜視図である。
【図９】図９は、図８の移注針コネクタに薬剤容器を取り付けるときの断面図である。
【図１０】図１０（Ａ）、（Ｂ）は移注針コネクタの他の変形例で、移注針コネクタの筒状部材を延長し、延長部分の内周面の突起により２つの薬剤容器を移注針コネクタに取り付ける場合の説明図である。
【図１１】図１１はエラストマー製のキャップを用いて２つの薬剤容器を移注針コネクタに取り付ける場合の説明図である。
【図１２】図１２は捕集体により２つの薬剤容器を移注針コネクタに取り付ける場合の説明図である。
【図１３】図１３は図２に示した刷毛部材の種々の例を示す一覧である。
【図１４】図１４は、図１３に示した刷毛部材に代わるパイプ状のノズルの斜視図である。
【手続補正１０】
【補正対象書類名】明細書
【補正対象項目名】００３４
【補正方法】変更
【補正の内容】
【００３４】
以下、図面を参照しながら本発明の一実施例に係る３成分接着剤用混合装置について説明する。
【手続補正１１】
【補正対象書類名】明細書
【補正対象項目名】００３５
【補正方法】変更
【補正の内容】
【００３５】
図１は、本発明の一実施例による３成分接着剤用混合装置と２つの薬剤容器を取り付けるときの取付態様を示す分解図である。なお、このような３成分接着剤用混合装置２は、３成分を混合するための装置として様々な用途が考えられるが、以下の説明では、３成分からなる接着剤の混合に適用した例について説明する。
【手続補正１２】
【補正対象書類名】明細書
【補正対象項目名】００３６
【補正方法】変更
【補正の内容】
【００３６】
図１に示した実施例の３成分接着剤用混合装置２は、第１の薬剤Ａが予め収容された筒状のシリンジ４と、シリンジ４内に収容され先端部にシール部材６が装着されたプランジャー８と、シリンジ４の吐出口４ａの外方に着脱自在に装着される移注針コネクタ１０とを備えている。この３成分接着剤用混合装置２に、後述するように、第２薬剤容器１６と、第３薬剤容器１８とが取り付けられる。
【手続補正１３】
【補正対象書類名】明細書
【補正対象項目名】００３８
【補正方法】変更
【補正の内容】
【００３８】
一方、この３成分接着剤用混合装置２により後述する態様で３成分が混合された後、混合された薬剤を接着剤として取り出す場合には、封止部材１２に代えて、図２に示した刷毛部材１４が装着される。刷毛部材１４は、封止部材１２とは異なり、内部に外方に通じる通路を有していることから、接着剤の塗布または排出が可能である。
【手続補正１４】
【補正対象書類名】明細書
【補正対象項目名】００５３
【補正方法】変更
【補正の内容】
【００５３】
本実施例による３成分接着剤用混合装置の各構成要素は上記のように形成されているが、これらは図６に示したように適宜な状態にして箱体３８内に収容され、３成分混合接着剤キット５０として構成され、この状態で出荷あるいは管理されることが好ましい。
【手続補正１５】
【補正対象書類名】明細書
【補正対象項目名】００５６
【補正方法】変更
【補正の内容】
【００５６】
３成分接着剤用混合装置２が外科用手術（または処置）あるいは歯科用手術（または処置）の接着剤の混合に用いられる場合、第１の薬剤Ａはポリマー（粉体）であり、第２の薬剤Ｂは触媒（液体）であり、第３の薬剤Ｃはモノマー（液体）である。その場合、第１の薬剤Ａとなるポリマー（粉体）としては、例えば、メタクリレート重合体からなる粉体及びアクリレート重合体からなる粉体が挙げられる。
【手続補正１６】
【補正対象書類名】明細書
【補正対象項目名】００６９
【補正方法】変更
【補正の内容】
【００６９】
このように本実施例による３成分接着剤用混合装置２では、３成分の混合を速やかに行わなければ、硬化してしまうような接着剤の混合に、有効に適用することができる。しかも、その作業は極めて容易であり、誰でも間違うことなく行うことができる。
【手続補正１７】
【補正対象書類名】明細書
【補正対象項目名】００７０
【補正方法】変更
【補正の内容】
【００７０】
また、多量の接着剤を用いる場合は、３成分接着剤用混合装置２を２つ、３つと増やすことによって、もしくは、シリンジ４、第２の薬剤容器１６および第３の薬剤容器１８の容量を大きくすることにより、所定量を得ることができる。
【手続補正１８】
【補正対象書類名】明細書
【補正対象項目名】００７１
【補正方法】変更
【補正の内容】
【００７１】
以上、本発明の一実施例に係る３成分接着剤用混合装置２について説明したが、本発明は上記実施例に何ら限定されない。
【手続補正１９】
【補正対象書類名】明細書
【補正対象項目名】００９６
【補正方法】変更
【補正の内容】
【００９６】
２        ３成分接着剤用混合装置
４        シリンジ
４ａ      吐出口
４ｂ      口栓部
４ｃ      内ネジ
６        シール部材
８        プランジャー
１０      移注針コネクタ
１２      封止部材
１４      刷毛部材
１６      第２薬剤容器
１６ａ    容器本体
１８      第３薬剤容器
２０      接続部
２２      接続部
２４      スリット
２５      円筒状スカート部材
２６      針部材
２６ａ    通路
２６ｂ    バイパス通路
２８      針部材
２８ａ    通路
２８ｂ    バイパス通路
３０      合流通路
３２      蓋体
３２ａ    天板部
３２ｂ    開口
３２ｃ    鍔部
３４      貫通孔
３５      吐出部
３７      シール部材
３７ａ    芯材
３７ｂ    フッ素樹脂フィルム
３８      箱体
４０      キット組立体
４１      シリンジ組立体
４２      滅菌紙
５０      ３成分混合接着剤キット
６０      移注針コネクタ
６１      突条
６２      筒状部材
６４      突起
６６      キャップ
６８      捕集体
８０      移注針コネクタ
８２      スカート部分
８４      ノズル
Ａ        第１の薬剤
Ｂ        第２の薬剤
Ｃ        第３の薬剤
【国際調査報告】
2013179832.tif 000017
2013179832.tif 000018
2013179832.tif 000019
2013179832.tif 000020